(57)【要約】【課題】  表裏両面から鑑賞可能とした両面使用タイプの額縁であって、部品点数が少なく、加工が容易であって、意匠性にも優れた額縁を提供する。【解決手段】  本発明の額縁は、夫々が棒状体である一組の刺し棒11,12と一組の受け棒21,22とを備え、受け棒21,22は、両端近傍に刺し棒11,12の端部が挿嵌される挿嵌溝24を有し、一組の刺し棒11,12の両端が一組の受け棒21,22の挿嵌溝24に夫々挿嵌されて組み合わされた方形状の枠体であり、一組の刺し棒11,12と一組の受け棒21,22との連結部分には、円柱形状の込栓31が挿通され、枠体の内側面には、保持対象を保持するための保持溝14,27が形成され、この保持溝14,27は、二枚のジグソーパズルと基板と二枚の透明シートとを重ねて挿入可能な幅に形成されている。【選択図】    図２
2012024218.tif 000002
【特許請求の範囲】
【請求項１】
一組の刺し棒と一組の受け棒とを備え、
前記受け棒は、両端近傍に前記刺し棒の端部が挿嵌される挿嵌溝を有し、
前記一組の刺し棒の両端が前記一組の受け棒の挿嵌溝に夫々挿嵌されて組み合わされた方形状の枠体であり、
該枠体における内側に位置する面である内側面には、保持対象を保持するための保持溝が形成されていることを特徴とする額縁。
【請求項２】
前記一組の刺し棒と前記一組の受け棒との連結部分には、込栓が挿通されて前記刺し棒と受け棒との接合を維持していることを特徴とする請求項１に記載の額縁。
【請求項３】
前記保持溝は、二枚の鑑賞物と基板と二枚の透明シートとを重ねて挿入可能な幅に形成されていることを特徴とする請求項１又は請求項２に記載の額縁。
【請求項４】
前記枠体は、表裏両面が同一形状であることを特徴とする請求項１乃至請求項３のいずれか１項に記載の額縁。
【請求項５】
前記受け棒には、前記刺し棒を前記挿嵌溝に挿嵌した場合に前記刺し棒が前記受け棒を貫通したように視認される突出部が形成されていることを特徴とする請求項１乃至請求項４のいずれか１項に記載の額縁。
【請求項６】
前記込栓が円柱形状であることを特徴とする請求項２乃至請求項５のいずれか１項に記載の額縁。
【請求項７】
前記込栓が四角柱形状であることを特徴とする請求項２乃至請求項５のいずれか１項に記載の額縁。
【請求項８】
前記刺し棒及び受け棒の表裏両面に装飾模様が形成されていることを特徴とする請求項１乃至請求項７のいずれか１項に記載の額縁。
【請求項９】
前記刺し棒及び受け棒の表裏両面が曲面に形成されていることを特徴とする請求項１乃至請求項７のいずれか１項に記載の額縁。
【発明の詳細な説明】
【技術分野】
【０００１】
本発明は、表裏両面が利用可能な額縁に関する。
【背景技術】
【０００２】
写真、ジグソーパズル、絵画、賞状等を飾るのに額縁が用いられる。この額縁は、方形状の枠体であって、この枠体の内側に透明な保護シート、鑑賞物、基板を順に積層し、基板の裏面を留め具等で押さえつけることで用いられるものが一般的である（例えば、特許文献１）。しかしながら、特許文献２に示すように、表裏両面から鑑賞物を鑑賞可能とした両面が利用可能な額縁に関しての提案もなされている。
【先行技術文献】
【特許文献】
【０００３】
【特許文献１】特開２００８−１８８３７０号公報
【特許文献２】実登３０４６６１３号
【発明の概要】
【発明が解決しようとする課題】
【０００４】
本発明は、表裏両面から鑑賞物を鑑賞可能とした両面使用タイプの額縁であって、部品点数が少なく、加工が容易であり、さらに、意匠性にも優れた額縁を提供することを目的としている。
【課題を解決するための手段】
【０００５】
本発明の額縁は、一組の刺し棒と一組の受け棒とを備え、前記受け棒は、両端近傍に前記刺し棒の端部が挿嵌される挿嵌溝を有し、前記一組の刺し棒の両端が前記一組の受け棒の挿嵌溝に夫々挿嵌されて組み合わされた方形状の枠体であり、該枠体における内側に位置する面である内側面には、保持対象を保持するための保持溝が形成されていることを特徴とする。
【０００６】
また、本発明の額縁において、前記一組の刺し棒と前記一組の受け棒との連結部分には、込栓が挿通されて前記刺し棒と受け棒との接合を維持していることを特徴とする。
【０００７】
また、本発明の額縁において、前記保持溝は、二枚のジグソーパズルと基板と二枚の透明シートとを重ねて挿入可能な幅に形成されていることを特徴とする。
【０００８】
そして、本発明の額縁において、前記枠体は、表裏両面が同一形状であることを特徴とする。
【０００９】
さらに、本発明の額縁において、前記受け棒には、前記刺し棒を前記挿嵌溝に挿嵌した場合に前記刺し棒が前記受け棒を貫通したように視認される突出部が形成されていることを特徴とする。
【００１０】
また、本発明の額縁において、前記込栓が円柱形状であることを特徴とする。
【００１１】
なお、本発明の額縁において、前記込栓が四角柱形状とされることもある。
【００１２】
また、本発明の額縁は、前記刺し棒及び受け棒の表裏両面に装飾模様が形成されていることを特徴とする。
【００１３】
なお、本発明の額縁において、前記刺し棒及び受け棒の表裏両面が曲面に形成されていることもある。
【発明の効果】
【００１４】
本発明によれば、表裏両面から鑑賞可能とした両面使用タイプの額縁であって、部品点数が少なく、加工が容易であり、さらに、意匠性にも優れた額縁を提供できる。
【図面の簡単な説明】
【００１５】
【図１】本発明の実施形態における額縁の正面斜視図である。
【図２】本発明の実施形態における額縁の分解斜視図である。
【図３】本発明の実施形態における他の額縁の正面斜視図である。
【図４】本発明の実施形態におけるさらに異なる額縁の正面斜視図である。
【発明を実施するための形態】
【００１６】
以下、本発明を実施するための形態について図に基づいて詳説する。図１は、本実施形態における額縁の正面斜視図であり、図２は、額縁の分解斜視図である。この額縁1は、図１及び図２に示すように、夫々対向して配置される一組の刺し棒11,12と一組の受け棒21,22とが方形状に組み合わされた枠体であり、表裏両面が同一の形状とされ、保持された鑑賞物を表裏両面から鑑賞可能な両面使用タイプである。
【００１７】
刺し棒11,12は、断面が略方形状の棒状体であり、組み合わされたときに内側に位置する面である内側面には、保持対象である鑑賞物を保持する保持溝14が長手方向に延設されている。また、刺し棒11,12の長手方向の両端近傍には、刺し棒の表裏に貫通する挿通孔16が形成されている。なお、この刺し棒11,12は、表裏が対称（同一の）形状とされている。
【００１８】
受け棒21,22は、断面が略方形状の棒状体であり、厚み（表裏方向の長さ）が刺し棒11,12の厚みよりも厚く形成されている。また、受け棒21,22は、組み合わされたときに内側に位置する面である内側面の両端近傍に、刺し棒11,12の端部が挿嵌される挿嵌溝24が形成されている。この挿嵌溝24は、刺し棒11,12の外径よりも僅かに大きな（略同一の）内径を有した箱型形状であり、受け棒21,22における挿嵌溝24を形成する位置の表裏両面には表裏に貫通する挿通孔26が形成されている。また、受け棒21,22の内側面には、鑑賞物を保持するための保持溝27が長手方向に延設されている。なお、この受け棒21,22も表裏が対称形状とされている。
【００１９】
また、刺し棒11,12及び受け棒21,22の保持溝14,27は、幅（表裏方向の長さ）が、鑑賞物二枚の厚みと、二枚の鑑賞物の間に配置される基板の厚みと、二枚の透明シートの厚みと、の合計よりも大きく形成されている。すなわち、鑑賞物がジグソーパズルであれば、二枚のジグソーパズルと基板と透明シートとが重ねて挿入可能な厚みとなっている。なお、ジグソーパズルの厚みは一般的に１ｍｍ〜４ｍｍ程であり、２ｍｍ前後の厚みのものが多い。また、基板の厚みは、２ｍｍ〜４ｍｍ程である。さらに、透明シートの厚みは、０．１ｍｍ〜１ｍｍ程である。すなわち、保持溝14,27の幅は、４ｍｍ〜１５ｍｍ程で、特に７ｍｍ前後（６ｍｍ〜８ｍｍ）とするのが好適である。
【００２０】
そして、これらの刺し棒11,12と受け棒21,22は、各々二本一組とするものであって、平行に配置された二本の刺し棒11,12の両端に二本の受け棒21,22の挿嵌溝24を嵌め込むことにより組み合わされている。また、挿嵌溝24に刺し棒11,12が挿嵌された場合、刺し棒11,12の挿通孔16と受け棒21,22の挿通孔26は重合しており、この重合した挿通孔16,26に円柱形状の込栓31が挿通されることにより、刺し棒11,12と受け棒21,22との接合部分が維持される。そして、このように組み合わされた額縁1は、表裏が対称形状、すなわち、表裏どちらから見た場合であっても同一の形状となる。
【００２１】
また、鑑賞物を枠体に装填する場合には、所定の受け棒21,22に刺し棒11,12の一端が挿嵌された状態、すなわち、刺し棒11,12の一端が開放された状態で、刺し棒11,12の開放側から保持溝14に鑑賞物を挿入し、鑑賞物を挿入した後、刺し棒11,12の開放側を他の受け棒21,22で塞ぐことで装填できる。
【００２２】
なお、受け棒21,22における挿嵌溝24が形成された面の裏面側には、刺し棒11,12を挿嵌溝24に挿嵌した場合に刺し棒11,12が受け棒21,22を貫通したように視認される突出部28が形成されている。
【００２３】
このような構成とされた額縁1は、部品点数が少なく、シンプルな構造で、しかも、組み立ても容易であり、視認性にも優れているため、様々な用途に用いることができる。また、表裏両面が対称（同一）の形状であるため、表裏両面に絵が描かれた鑑賞物や、異なる二枚の鑑賞物を表裏両面から夫々鑑賞できるように額縁1に装填することで表裏両面から鑑賞を楽しむことができる。例えば、二枚のジグソーパズルを基板となる台紙を挟んだ状態で重ね合わせ、表裏両面に透明シートを被せて額縁1に装填することにより、表裏両面で異なる絵を鑑賞できる。
【００２４】
また、本実施形態における額縁1は、所定の一本の受け棒21,22に所定の一本の刺し棒11,12を挿嵌した状態ではＬ字状を維持し、さらに、他の刺し棒11,12を上記受け棒21,22に挿嵌した状態ではコの字状を維持するため、開放側に他の受け棒21,22を装着し易く組立が容易であり、また、保持溝14に完成されたジグソーパズルや写真等の鑑賞物を嵌め込むことが容易となる。
【００２５】
さらに、額縁1の受け棒21,22には突出部28が形成されているため、刺し棒11,12が受け棒21,22を貫通しているような見た目となるも、実際は、挿嵌溝24に刺し棒11,12が挿嵌されているだけであるため、挿嵌溝24の底に刺し棒11,12の端面が当接するまで刺し棒11,12を押し込むだけで各挿通孔16,26が重合することとなり、込栓31を容易に挿通させることができる。また、容易に込栓31を挿通できるにもかかわらず、刺し棒11,12が貫通しているように視認されることとなるため、意匠性に優れた額縁1を提供できることとなる。
【００２６】
さらに本実施形態における額縁1は、刺し棒11,12と受け棒21,22と込栓31とからなり、各材料が簡単な形状であるため容易に大量生産が可能であり、製造コストを抑えることもできる。
【００２７】
なお、図３（ａ）に示すように、刺し棒11,12及び受け棒21,22の表裏両面に凹凸や彫刻等の模様を形成してもよい。また、図３（ｂ）に示すように、刺し棒11,12及び受け棒21,22の表裏両面を曲面形状に形成してもよい。このように刺し棒11,12及び受け棒21,22の表裏両面に模様を形成する、あるいは、曲面形状とすることにより、意匠性に優れた額縁1を提供できることとなる。
【００２８】
また、図４（ａ）及び図４（ｂ）に示すように、受け棒21,22に突出部28を設けずに形成する構成としてもよい。また、図４（ｂ）に示したように、込栓31を四角柱形状としても良い。すなわち、本発明は、以上の実施形態に限定されるものでなく、発明の要旨を逸脱しない範囲で自由に変更、改良が可能である。
【符号の説明】
【００２９】
1  額縁
11,12 刺し棒                         14 保持溝
16 挿通孔                            21,22 受け棒
24 挿嵌溝                            26 挿通孔
27 保持溝                            28 突出部
31 込栓
【図１】
2012024218.tif 000003
【図２】
2012024218.tif 000004
【図３】
2012024218.tif 000005
【図４】
2012024218.tif 000006